(57)【要約】【課題】従来にない遊び方で勝敗を決定するジャンケンゲームや、吉凶を占う占いゲーム、賞品獲得ゲーム等に使用できるゲームシートを提供する。【解決手段】帯状紙シート２の長手方向中間部の両縁部にそれぞれ一対の切欠３Ａ，３Ｂを形成し、一対の切欠３Ａ，３Ｂで挟まれた帯状紙シート部分が文字、符号又は図形を表示した表示部４となっている。帯状紙シート２の両端部の保持部５Ａ，５Ｂを互いに反対方向に引っ張ることで、切欠３Ａ又は３Ｂの位置で帯状紙シート２を破断させ、表示部４が一体となっているゲームシート部分を保持している方の遊技者を、ジャンケンの勝者、あるいは占い、賞品等の獲得者とする。【選択図】図１
0003196665.tif 000002
【実用新案登録請求の範囲】
【請求項１】
帯状紙シートの長手方向中間部の両縁部に、前記長手方向に配列された複数の切欠をそれぞれ形成し、前記複数の切欠の間に位置する前記帯状紙シート部分が文字、符号又は図形を表示した表示部となっていることを特徴とするゲームシート。
【請求項２】
帯状紙シートの長手方向中間部の両縁部に、前記長手方向に配列された一対の切欠（３Ａ，３Ｂ又は１３Ａ，１３Ｂ）をそれぞれ形成し、前記一対の切欠（３Ａ，３Ｂ又は１３Ａ，１３Ｂ）の間に位置する前記帯状紙シート部分が、文字、符号又は図形を表示した表示部（４）となっていることを特徴とするゲームシート。
【請求項３】
前記帯状紙シートの両端部はそれぞれ反対方向に引っ張るための保持部となっていることを特徴とする請求項１又は２に記載のゲームシート。
【請求項４】
前記切欠が半円状又はＶ字状であることを特徴とする請求項１乃至３のいずれか一項に記載のゲームシート。
【請求項５】
前記帯状紙シートの紙繊維の配列方向が前記帯状紙シートの短手方向であることを特徴とする請求項１乃至４のいずれか一項に記載のゲームシート。
【考案の詳細な説明】
【技術分野】
【０００１】
本考案は、勝敗を決定するジャンケンゲームや、吉凶を占う占いゲーム、さらには賞品の獲得者を決定する賞品獲得ゲーム等に使用できるゲームシートに関する。
【背景技術】
【０００２】
従来、ジャンケン遊具としてグウ、チョキ、パアを表示したカード又はサイコロが下記特許文献１で提案されている。
【先行技術文献】
【特許文献】
【０００３】
【特許文献１】実用新案登録第３０８１１０５号公報
【考案の概要】
【考案が解決しようとする課題】
【０００４】
特許文献１の提案は、ジャンケン遊具であり、ジャンケン以外の遊びには応用できない。また、遊び方も普通のジャンケンに類するものとなる。
【０００５】
本考案はこうした状況を認識してなされたものであり、その目的は、従来にない遊び方で勝敗を決定するジャンケンゲームや、吉凶を占う占いゲーム、賞品獲得ゲーム等に使用できるゲームシートを提供することにある。
【課題を解決するための手段】
【０００６】
本考案のある態様はゲームシートであり、このゲームシートは、帯状紙シートの長手方向中間部の両縁部に、前記長手方向に配列された複数の切欠をそれぞれ形成し、前記複数の切欠の間に位置する前記帯状紙シート部分が文字、符号又は図形を表示した表示部となっていることを特徴とする。
【０００７】
本考案の別の態様もゲームシートであり、このゲームシートは、帯状紙シートの長手方向中間部の両縁部に、前記長手方向に配列された一対の切欠（３Ａ，３Ｂ又は１３Ａ，１３Ｂ）をそれぞれ形成し、前記一対の切欠（３Ａ，３Ｂ又は１３Ａ，１３Ｂ）の間に位置する前記帯状紙シート部分が、文字、符号又は図形を表示した表示部（４）となっていることを特徴とする。
【０００８】
前記態様において、前記帯状紙シートの両端部はそれぞれ反対方向に引っ張るための保持部となっているとよい。
【０００９】
前記態様において、前記切欠が半円状又はＶ字状であるとよい。
【００１０】
前記態様において、前記帯状紙シートの紙繊維の配列方向が前記帯状紙シートの短手方向であるとよい。
【００１１】
なお、以上の構成要素の任意の組合せもまた、本考案の態様として有効である。
【考案の効果】
【００１２】
本考案に係るゲームシートによれば、２人の遊技者がゲームシートの両端部の保持部をそれぞれ引っ張って、ゲームシートをいずれかの切欠位置で破断させ、ゲームシート中間部の文字、符号又は図形を表示した表示部が一体となったゲームシート部分を保持している遊技者をジャンケンの勝者、あるいは占い、賞品等の獲得者とするものであり、従来にない遊び方を提供することができる。
【図面の簡単な説明】
【００１３】
【図１】本考案に係るゲームシートの第１の実施の形態であって、（Ａ）は使用前、（Ｂ）は使用後（ゲーム後）の状態を示す平面図。
【図２】本考案の第２の実施の形態を示す平面図。
【図３】本考案の第３の実施の形態を示す平面図。
【考案を実施するための形態】
【００１４】
以下、図面を参照しながら本考案の好適な実施の形態を詳述する。なお、各図面に示される同一または同等の構成要素、部材等には同一の符号を付し、適宜重複した説明は省略する。また、実施の形態は考案を限定するものではなく例示であり、実施の形態に記述されるすべての特徴やその組み合わせは必ずしも考案の本質的なものであるとは限らない。
【００１５】
図１は本考案に係るゲームシートの第１の実施の形態であって、（Ａ）は使用前、（Ｂ）は使用後（ゲーム後）の状態を示す平面図である。これらの図に示すように、ゲームシート１は、帯状紙シート２の長手方向中間部の両縁部に、前記長手方向に配列された一対（複数）の半円状切欠３Ａ，３Ｂをそれぞれ形成し、前記一対の半円状切欠３Ａ，３Ｂの間に位置する帯状紙シート部分が文字、符号又は図形を表示した表示部４となっている。図示の例では、「Ｙｏｕ  ｗｉｎ！」という勝利者であることを示す英文字が印刷等で表示されている。なお、帯状紙シート２の紙繊維の配列方向は図１（Ａ）の矢印のように帯状紙シート２の短手方向であることが好ましい。これは、後述のゲームにおいて、帯状紙シート２を長手方向に引っ張ったときに切欠３Ａ同士を結んだ線又は切欠３Ｂ同士を結んだ線で破断しやすくするためである。
【００１６】
帯状紙シート２の両端部はそれぞれ反対方向に引っ張るための保持部５Ａ，５Ｂとなっており、２人の遊技者の一方が保持部５Ａを、他方が保持部５Ｂを保持してそれぞれ反対向き（図１（Ｂ）の矢印方向）に引っ張ることで勝者を決定するジャンケンゲームを行う。２人の遊技者が保持部５Ａ，５Ｂをそれぞれ反対方向に引っ張ると、半円状切欠３Ａ，３Ｂの形成部分は帯状紙シート２の幅が狭く強度が弱くなっているため、半円状切欠３Ａ同士を結ぶ破断線又は半円状切欠３Ｂ同士を結ぶ破断線で帯状紙シート２は破断する。通常、半円状切欠３Ａの形成部分と半円状切欠３Ｂの形成部分の強度が完全一致することはないから、一方の切欠形成部分で破断することになる。図１（Ｂ）の例では、左側の遊技者が、「Ｙｏｕ  ｗｉｎ！」と記述した表示部４が一体となっているゲームシート部分を保持しているため、ジャンケンの勝者となる。
【００１７】
本実施の形態によれば、下記の通りの効果を奏することができる。
【００１８】
(1) ２人の遊技者がゲームシート１の両端部の保持部５Ａ，５Ｂをそれぞれ引っ張って、ゲームシート１をいずれかの切欠位置で破断させ、勝者表示のある表示部４が一体となったゲームシート部分を保持している遊技者をジャンケンの勝者とするものであり、従来にない遊び方を提供することができる。
【００１９】
(2) 帯状紙シート２に絵柄等を印刷等で設けることで、いっそう遊技性を高めることができる。
【００２０】
図２は本考案の第２の実施の形態であって、帯状紙シート２に設ける切欠形状を変更した例である。この場合、ゲームシート１は、帯状紙シート２の長手方向中間部の両縁部に、前記長手方向に配列された一対（複数）のＶ字状切欠１３Ａ，１３Ｂをそれぞれ形成し、一対のＶ字状切欠１３Ａ，１３Ｂの間に位置する帯状紙シート部分が文字、符号又は図形を表示した表示部４となっている。その他の構成及び遊技方法は前述の第１の実施の形態と同様である。
【００２１】
図３は本考案の第３の実施の形態であって、帯状紙シート２の表示部４に表示する文字を占いゲーム用に変更したものである。図示の例では、「大吉」という表示が表示部４に記載されている。その他の構成及び遊技方法は前述の第１の実施の形態と同様である。
この第３の実施の形態では、「大吉」と記述した表示部４が一体となっているゲームシート部分を保持している方の遊技者が、「大吉」という占いの獲得者となる。
【００２２】
以上、実施の形態を例に本発明を説明したが、実施の形態の各構成要素や各処理プロセスには請求項に記載の範囲で種々の変形が可能であることは当業者に理解されるところである。以下、変形例について触れる。
【００２３】
ゲームシートの表示部における表示は文字に限らず、符号や図形であってもよい。例えば、賞品獲得ゲームであれば、賞品の図形を表示部に表示しておき、賞品の図形の描かれた表示部が一体となっているゲームシート部分を保持している方の遊技者が、前記賞品の獲得者となるようにゲームルールを定めることができる。
【符号の説明】
【００２４】
１  ゲームシート
２  帯状紙シート
３Ａ，３Ｂ，１３Ａ，１３Ｂ  切欠
４  表示部
５Ａ，５Ｂ  保持部  
【図１】
0003196665.tif 000003
【図２】
0003196665.tif 000004
【図３】
0003196665.tif 000005